(57)【要約】【課題】軒樋を固定する鼻隠しの上下長さに対応して、上下長さを調整することができるアンコーを提案すること。【解決手段】軒樋２と呼び樋３とを接続するアンコー１であって、アンコー本体１０は、軒樋２に取り付けた排水筒４に嵌め込まれる縦樋部１１と、縦樋部１１の下端部より延設され呼び樋３が嵌め込まれる横樋部１２とからなる。縦樋部１１は、排水筒４が備える係止部４０に係止可能な被係止部１３を、上下方向に複数並べて備え、縦樋部１１は、上下に隣り合う被係止部１３の間を、切断具により切断可能な切断可能部１４とする。【選択図】図１
2013091891.tif 000002
【特許請求の範囲】
【請求項１】
軒樋と呼び樋とを接続するアンコーであって、
アンコー本体は、前記軒樋に取り付けた排水筒に嵌め込まれる縦樋部と、前記縦樋部の下端部より延設され前記呼び樋が嵌め込まれる横樋部とからなり、
前記縦樋部は、前記排水筒が備える係止部に係止可能な被係止部を、上下方向に複数並べて備え、
前記縦樋部は、上下に隣り合う被係止部の間を、切断具により切断可能な切断可能部とすることを特徴とするアンコー。
【請求項２】
前記切断可能部で切断した状態における前記縦樋部の最上部に位置する前記被係止部か、あるいは切断していない状態における前記縦樋部の最上部に位置する前記被係止部が、前記排水筒が備える前記係止部が係止される箇所となることを特徴とする請求項１に記載のアンコー。
【発明の詳細な説明】
【技術分野】
【０００１】
本発明は、軒樋と呼び樋とを接続するアンコーに関するものである。
【背景技術】
【０００２】
従来から、特許文献１等によって、軒樋と呼び樋とを接続するアンコーが提案されている。
【０００３】
特許文献１に記載のアンコーは、上下方向に延設された縦樋部と、その縦樋部の下端部から側方に延設された横樋部とを備える。この縦樋部が軒樋に取り付けられ、横樋部に呼び樋が嵌め込まれることで、軒樋と呼び樋とはアンコーを介して通水可能に接続される。
【先行技術文献】
【特許文献】
【０００４】
【特許文献１】特開２００３−３４３０４９号公報
【発明の概要】
【発明が解決しようとする課題】
【０００５】
上述したアンコーでは、縦樋部の上下長さが所定の長さに決まっている。そのため、軒樋を固定する鼻隠しの上下長さが長い場合に、鼻隠しが邪魔になって呼び樋を取り付けることができず、このような場合に、上述したアンコーは使用することができないという問題があった。
【０００６】
この問題を解決する他の構造として、例えば、図４に示すように、軒樋２と呼び樋３とを、縦樋８とエルボ９を介して接続する構造が考えられる。
【０００７】
軒樋２には、排水孔２０が設けられており、この排水孔２０には排水ドレン５の下端部の結合部５０が挿通されて、この結合部５０に排水筒７が結合されている。排水筒７の下流端部に縦樋８が接続され、この縦樋８の下流端部にエルボ９の上流端部が接続され、エルボ９の下流端部に呼び樋３が接続されている。
【０００８】
ここで、縦樋８として、鼻隠し１００の上下長さに対応した上下長さのものを用いることによって、軒樋２から呼び樋３までの上下長さを調整することができる。
【０００９】
しかし、この構造では、軒樋２と呼び樋３とを接続するためには、排水筒７と縦樋８とエルボ９とが必要であるため、上述したアンコーによって接続するものに比べて、部品点数が多くなってしまって、施工性やデザイン性が低下するといった問題がある。
【００１０】
そこで、上記事情を鑑みて、本発明は、軒樋を固定する鼻隠しの上下長さに対応して、上下長さを調整することができるアンコーを提案することを課題とする。
【課題を解決するための手段】
【００１１】
上記課題を達成する本発明のアンコーは、軒樋と呼び樋とを接続するアンコーであって、アンコー本体は、前記軒樋に取り付けた排水筒に嵌め込まれる縦樋部と、前記縦樋部の下端部より延設され前記呼び樋が嵌め込まれる横樋部とからなり、前記縦樋部は、前記排水筒が備える係止部に係止可能な被係止部を、上下方向に複数並べて備え、前記縦樋部は、上下に隣り合う被係止部の間を、切断具により切断可能な切断可能部とすることを特徴とする。
【００１２】
また、前記切断可能部で切断した状態における前記縦樋部の最上部に位置する前記被係止部か、あるいは切断していない状態における前記縦樋部の最上部に位置する前記被係止部が、前記排水筒が備える前記係止部が係止される箇所となることが好ましい。
【発明の効果】
【００１３】
本発明のアンコーは、軒樋を固定する鼻隠しの上下長さに対応して、上下長さを調整することができる。
【図面の簡単な説明】
【００１４】
【図１】本発明の実施形態のアンコーを用いて軒樋と呼び樋とを接続する構造を示す分解斜視図である。
【図２】同上のアンコーを示す斜視図である。
【図３】同上のアンコーを用いて軒樋と呼び樋とを接続した状態を示す正面図である。
【図４】軒樋と呼び樋とを接続する構造の一例を示す正面図である。
【発明を実施するための形態】
【００１５】
本発明を添付図面に示す実施形態に基づいて説明する。
【００１６】
まず、本実施形態のアンコー１が配設される軒先の排水構造について概要を説明する。
【００１７】
図３に示すように、鼻隠し１００には軒樋吊り支持具１０１が固定されていて、この軒樋吊り支持具１０１によって軒樋２は、屋根１０２の軒側先端部の下方に吊り支持されている。軒樋２は、図１にも示すように、上方が開口した角樋であり、軒樋２の底面には円孔状の排水孔２０が設けられている。
【００１８】
排水孔２０には、図１に示すように、軒樋２に排水筒４を接続するための排水ドレン５の下端部の筒状の結合部５０が挿通され、この結合部５０に排水筒４の上面部の被結合部４２が結合されている。排水筒４は、アンコー１の上流端部の内側に嵌め込まれている。そして、アンコー１の下流端部の内側には、呼び樋３が嵌め込まれている。なお、図示してないが、呼び樋３にはエルボを介して縦樋が取り付けられる。このように軒樋２と呼び樋３とをアンコー１で接続することによって、軒樋２を流れる雨水が、排水筒４、アンコー１、呼び樋３、エルボ、縦樋の順番に流れて、地面に排水される。
【００１９】
続いて、本実施形態の排水筒４及びアンコー１について詳細に説明する。
【００２０】
排水筒４は、上面部を有する角筒状であり、その上面部から外側に向けて突出するフランジ部４１を備えている。排水筒４の上面部の中央部には、円孔状の被結合部４２を備えている。円孔状の被結合部４２の内周面には、排水ドレン５の結合部５０の外周面の螺子溝と結合可能な螺子溝が形成されている。排水筒４のフランジ部４１よりも下流側の外周面には、アンコー１を係止するための係止部４０を備えている。この係止部４０は、排水筒４の外周面のうち上端部側に位置しており、係止部４０から排水筒４の下端までの長さを所定長さ（第一距離Ｌ１）確保している。これにより、排水筒４をアンコー１に嵌め込んだ際の嵌め込み深さを確保して、排水筒４とアンコー１との嵌め込み箇所から水漏れすることを抑制している。
【００２１】
係止部４０は、本実施形態では、排水筒４の外側に向けて突出した矩形状の突起である。係止部４０は、排水筒４の４つの矩形の外周面のうちの１つに設けられている。なお、４つの外周面のうち対向する２つの外周面の同じ位置（排水筒４の下流端までの距離が所定長さとなる位置）にそれぞれ形成してもかまわない。
【００２２】
続いて、アンコー１は、図１に示すように、上下方向に延設された有底角筒状の縦樋部１１と、縦樋部１１の下端部から側方へ延設された角筒状の横樋部１２とからなるアンコー本体１０で構成されている。つまり、アンコー本体１０は、略Ｌ字型に折れ曲がった角筒状となっている。アンコー本体１０は、合成樹脂等で形成され、のこぎり等の切断具６によって切断可能である。
【００２３】
縦樋部１１は、図２に示すように、排水筒４の係止部４０に係止される矩形孔状の被係止部１３を上下に並べて複数（図２では３つ）備えている。なお、被係止部１３の数は特に限定されないが、縦樋部１１の上下長さに応じて決められる。
【００２４】
本実施形態では、上下に隣り合う２つの被係止部１３の間を、切断具６によって切断可能な切断可能部１４とする。図２では、被係止部１３が３つであるので、切断可能部１４は２箇所存在する。切断可能部１４の上下方向の中央部には、切断具６による切断線となる罫書き線１６が設けられることが好ましい。この罫書き線１６を切断することによって、縦樋部１１の上端面となる切断面から最上部に位置する被係止部１３までの距離が、どの切断可能部１４を切断しても略一定となる。なお、罫書き線１６は設けなくても構わない。
【００２５】
以上のような構成のアンコー１は、切断具６によりいずれかの切断可能部１４を切断することで、上下長さを調整できる。なお、アンコー１は、切断していない状態で利用してもかまわない。
【００２６】
本実施形態のアンコー１は、切断可能部１４で切断した状態における縦樋部１１の最上部に位置する被係止部１３か、あるいは切断していない状態における縦樋部１１の最上部に位置する被係止部１３が、排水筒４の係止部４０に係止される。
【００２７】
このように切断の有無に関わらず、縦樋部１１の最上部に位置する被係止部１３に排水筒４の係止部４０が接続されるようにするために、本実施形態では、以下のような寸法関係で、排水筒４に係止部４０が設けられ、縦樋部１１に複数の被係止部１３が設けられる。
【００２８】
すなわち、排水筒４の係止部４０からフランジ部４１までの第二距離Ｌ２が、縦樋部１１の上下に隣り合う２つの被係止部１３の間の第三距離Ｌ３よりも短くなるように、排水筒４の係止部４０と縦樋部１１の複数の被係止部１３とはそれぞれ位置が決められる。
【００２９】
そして、切断可能部１４は、縦樋部１１の最上部に位置する被係止部１３から縦樋部１１の上端面（切断面）までの第四距離Ｌ４が第二距離Ｌ２と同じか、または第二距離Ｌ２よりも短くなるように切断する。
【００３０】
なお、本実施形態では、罫書き線１６からその下方の被係止部１３までの第五距離Ｌ５が、第二距離Ｌ２と同じか、または第二距離Ｌ２よりも短くなっている。そのため、罫書き線１６を切断することによって、第四距離Ｌ４を第二距離Ｌ２と同じかまたは第二距離Ｌ２よりも短くできる。この第五距離Ｌ５は、第三距離Ｌ３の半分の長さである。
【００３１】
また、本実施形態では、切断可能部１４で切断していない状態の縦樋部１１の上端面から縦樋部１１の最上部に位置する被係止部１３までの第六距離Ｌ６が、第二距離Ｌ２と同じかまたは第二距離Ｌ２よりも短くなるように、縦樋部１１に被係止部１３が位置決めされる。
【００３２】
続いて、本実施形態では、切断の有無に関わらず、排水筒４の縦樋部１１に対する嵌め込み長さ（排水筒４と縦樋部１１とが重なり合う長さ）を、所定の長さ（第一距離Ｌ１）以上確保するために、以下のような寸法関係で、排水筒４に係止部４０が設けられ、縦樋部１１に複数の被係止部１３が設けられる。
【００３３】
すなわち、係止部４０から排水筒４の下端までの第一距離Ｌ１が、縦樋部１１の最下部に位置する被係止部１３から、縦樋部１１と横樋部１２とで形成する内側コーナー部１５までの第七距離Ｌ７と同じかまたは第七距離Ｌ７よりも短くなるように、係止部４０と被係止部１３とは位置決めされる。
【００３４】
次に、本実施形態のアンコー１によって、軒樋２と呼び樋３とを接続する手順の一例について説明する。
【００３５】
まず、鼻隠し１００の上下長さに応じて、アンコー本体１０の縦樋部１１の複数の切断可能部１４のうちいずれかを切断具６によって切断する。このとき、切断可能部１４に設けた罫書き線１６を切断する。なお、罫書き線１６を設けた箇所以外の切断可能部１４を切断してもかまわない。
【００３６】
次いで、軒樋２の排水孔２０に排水ドレン５を取り付け、排水ドレン５を回転させて、排水ドレン５の結合部５０を排水筒４の被結合部４２に結合させる。これにより、排水筒４は軒樋２に取り付けられる。
【００３７】
次いで、排水筒４の下端部の外側に、アンコー１の縦樋部１１の上端部を嵌め込んでいき、排水筒４の係止部４０に、縦樋部１１の最上部に位置する被係止部１３を係止させる。これにより、アンコー１は排水筒４に抜け難い状態で取り付けられる。
【００３８】
そして、最後にアンコー１の横樋部１２の下流端部の内側に呼び樋３の上流端部を嵌め込む。
【００３９】
以上のようにしてアンコー１によって軒樋２と呼び樋３とを接続する本実施形態では、切断可能部１４に罫書き線１６が設けてあるので、切断箇所を把握することが容易である。なお、罫書き線１６を設けていない場合であっても、被係止部１３を目安にできるので、切断箇所を把握することが容易である。したがって、本実施形態のアンコー１では、鼻隠し１００の上下長さに合わせたアンコー１の上下長さの調整を簡単に行うことができる。
【００４０】
また、本実施形態では、排水筒４にアンコー１を係止した状態で、排水筒４はフランジ部４１を除いた部分がアンコー１内に隠れる。そのため、軒樋２と呼び樋３とを１つの部材（アンコー１）で接続したような外観となり、見た目がすっきりして、美観向上に繋がる。
【００４１】
以上述べたように、本発明の実施形態のアンコー１は、軒樋２と呼び樋３とを接続するアンコー１であって、アンコー本体１０は、軒樋２に取り付けた排水筒４に嵌め込まれる縦樋部１１と、縦樋部１１の下端部より延設され呼び樋３が嵌め込まれる横樋部１２とからなる。縦樋部１１は、排水筒４が備える係止部４０に係止可能な被係止部１３を、上下方向に複数並べて備え、縦樋部１１は、上下に隣り合う被係止部１３の間を、切断具６により切断可能な切断可能部１４とすることを特徴とする。
【００４２】
このように本実施形態では、縦樋部１１に切断具６により切断可能な切断可能部１４を備えているので、この切断可能部１４を切断することで、縦樋部１１の上下長さ、すなわちアンコー１の上下長さを調整することができる。また、この切断可能部１４は、上下に隣り合う被係止部１３の間に設けているので、被係止部１３の数に対応した数存在することになり、この切断可能部１４の数に合わせてアンコー１の上下長さを調整できる。また、縦樋部１１に上下に並べて設けた複数の被係止部１３が、切断箇所（切断可能部１４）の目安となるため、切断箇所が把握しやすく、上下長さの調整を簡単に行うことができる。その結果、鼻隠し１００の下方に取り付ける呼び樋３の上下位置を、鼻隠し１００の上下長さに関わらず大体一定の箇所にでき、一般的に取り付けられる位置から呼び樋３の位置が大きくずれて、外観が悪くなることを防止できる。
【００４３】
また、本実施形態では、軒樋２に取り付けた排水筒４に対するアンコー１の取り付けは、排水筒４にアンコー１の縦樋部１１を嵌め込んで、排水筒４の係止部４０に縦樋部１１の被係止部１３を係止させることで行うことができ、取付けが簡単である。また、嵌め込みだけでなく係止によっても取付けを行うことができて、強度の強い取り付けが可能となる。また、どの切断可能部１４を切断しても、縦樋部１１には被係止部１３が残るので、切断の有無にかかわらず、簡単に取付けを行うことができる。
【００４４】
また、本発明の実施形態のアンコー１では、切断可能部１４で切断した状態における縦樋部１１の最上部に位置する被係止部１３か、あるいは切断していない状態における縦樋部１１の最上部に位置する被係止部１３が、排水筒４が備える係止部４０が係止される箇所となることを特徴とする。
【００４５】
このような構成とすることで、本実施形態では、切断の有無に関わらず、排水筒４の係止部４０が縦樋部１１の最上部に位置する被係止部１３に係止され、排水筒４が縦樋部１１に対して所定の嵌め込み深さ（排水筒４の係止部４０から排水筒４の下端までの長さ以上）で嵌めこまれる。これにより、排水筒４と縦樋部１１との間からの水漏れを、切断した場合と切断していない場合とで略同様の条件で回避することができる。
【００４６】
なお、上述した実施形態では、排水筒４、アンコー１及び呼び樋３は角筒状であったが、丸筒状であってもかまわない。また、排水筒４は、フランジ部４１を備えない（上面部が外側に突出していない）ものであってもかまわない。また、排水筒４の係止部４０（突起）と縦樋部１１の被係止部１３（孔）とは、矩形状でなくとも係止可能であればその他の形状であってもかまわない。
【００４７】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４８】
１      アンコー
２      軒樋
３      呼び樋
４      排水筒
７      切断可能部
１０    アンコー本体
１１    縦樋部
１２    横樋部
１３    被係止部
１４    切断可能部
４０    係止部
【図１】
2013091891.tif 000003
【図２】
2013091891.tif 000004
【図３】
2013091891.tif 000005
【図４】
2013091891.tif 000006